(57)【特許請求の範囲】
【請求項１】
画像蓄積手段を備えた画像処理装置において、
画像蓄積手段に受信した画像が蓄積されているか否かを判断する第１の判断手段と、
前記第１の判断手段によって受信した画像が蓄積されていると判断された場合、前記受信した画像の出力を優先する設定が成されているか否かを判断する第２の判断手段と、
前記第２の判断手段によって前記設定が成されていると判断された場合、前記受信した画像を出力する一方、前記第２の判断手段によって前記設定が成されていないと判断された場合、代行受信ファイルに理由を記録する制御手段と、
を有することを特徴とする画像処理装置。
【発明の詳細な説明】
【０００１】
【発明の属する技術分野】
本発明は、画像蓄積機能を備えた画像処理装置に関する。
【０００２】
【従来の技術】
従来より、画像蓄積機能を備えたファクシミリ装置が実用されている。この画像蓄積機能は、例えば、記録紙切れの場合の代行受信や、親展受信などの種々の機能を実現されるためにに利用されている。
【０００３】
【発明が解決しようとする課題】
一方、記録紙として普通紙を使用する画像記録装置を備えたファクシミリ装置では、Ａ４やＢ４といった定型のカット紙が主に用いられるが、様々な幅や長さの受信を行うには、できるだけ多くの種類の記録紙が必要になる。
【０００４】
そこで、極力装着するカセットを少なくしながら、できるだけ様々なサイズの記録を無駄なく、また分割などして見難くならないように、「縮小」や「回転」等といった機能が用いられている。
【０００５】
この場合、例えば、その縮小や回転等の機能がＯＮされていて、それらの機能を実行するために必要な記録紙がなくなった場合、それ以降のページは該当記録紙が補充されるまで画像蓄積機能に残され、出力ができなくなってしまうという事態を生じる。
【０００６】
これは一例であるが、画像蓄積機能を備えて高機能化されたファクシミリ装置では、その他にも様々な理由により、画像蓄積機能に画情報が残される場合が考えられ、使用者にとっても、なぜ出力されないのか、どうすれば出力できるのかが、簡単にわからなくなってきている。
【０００７】
本発明は、かかる実情に鑑みてなされたものであり、画像蓄積機能に画情報が残されている場合の対処をユーザが簡単に処理することができるようにして画像処理装置を提供することを目的としている。
【０００8】
【課題を解決するための手段】
本発明は、画像蓄積手段を備えた画像処理装置において、画像蓄積手段に受信した画像が蓄積されているか否かを判断する第１の判断手段と、前記第１の判断手段によって受信した画像が蓄積されていると判断された場合、前記受信した画像の出力を優先する設定が成されているか否かを判断する第２の判断手段と、前記第２の判断手段によって前記設定が成されていると判断された場合、前記受信した画像を出力する一方、前記第２の判断手段によって前記設定が成されていないと判断された場合、代行受信ファイルに理由を記録する制御手段と、を有するものである。
【０００９】
【発明の実施の形態】
以下、添付図面を参照しながら、本発明の実施の形態を詳細に説明する。
【００１０】
図１は、本発明の一実施例にかかるグループ３ファクシミリ装置を示している。
【００１１】
同図において、システム制御部１は、このグループ３ファクシミリ装置の各部の制御処理、および、所定のグループ３ファクシミリ伝送制御手順処理を行うものであり、システムメモリ２は、システム制御部１が実行する制御処理プログラム、および、処理プログラムを実行するときに必要な各種データなどを記憶するとともに、システム制御部１のワークエリアを構成するものであり、パラメータメモリ３は、このグループ３ファクシミリ装置に固有な各種の情報を記憶するためのものであり、時計回路４は、現在時刻情報を出力するためのものである。
【００１２】
スキャナ５は、所定の解像度で原稿画像を読み取るためのものであり、プロッタ６は、所定の解像度で画像を記録出力するためのものであり、記録紙として普通紙を用い、また、給紙手段として複数の給紙カセット（多段カセット）を備えたものである。また、操作表示部７は、このグループ３ファクシミリ装置を操作するためのもので、各種の操作キー、および、各種の表示器からなる。
【００１３】
符号化復号化部８は、画信号を符号化圧縮するとともに、符号化圧縮されている画情報を元の画信号に復号化するためのものであり、画像蓄積装置９は、符号化圧縮された状態の画情報を多数記憶するためのものである。
【００１４】
グループ３ファクシミリモデム１０は、グループ３ファクシミリのモデム機能を実現するためのものであり、伝送手順信号をやりとりするための低速モデム機能（Ｖ．２１モデム）、および、おもに画情報をやりとりするための高速モデム機能（Ｖ．１７モデム、Ｖ．３４モデム、Ｖ．２９モデム、Ｖ．２７ｔｅｒモデムなど）を備えている。
【００１５】
網制御装置１１は、このグループ３ファクシミリ装置をアナログ公衆網ＰＳＴＮに接続するためのものであり、自動発着信機能を備えている。
【００１６】
これらの、システム制御部１、システムメモリ２、パラメータメモリ３、時計回路４、スキャナ５、プロッタ６、操作表示部７、符号化復号化部８、画像蓄積装置９、グループ３ファクシミリモデム１０、および、網制御装置１１は、内部バス１２に接続されており、これらの各要素間でのデータのやりとりは、主としてこの内部バス１２を介して行われている。
【００１７】
また、網制御装置１１とグループ３ファクシミリモデム１０との間のデータのやりとりは、直接行なわれている。
【００１８】
さて、このグループ３ファクシミリ装置では、種々の理由により画像蓄積機能に画情報が蓄積される。
【００１９】
例えば、給紙カセットにＡ４判とＢ５判の記録紙がセットされており、受信能力としてＡ幅およびＢ幅が設定されて、さらに、受信側縮小機能が設定されている場合、以下のような状況により、画情報が蓄積される。
【００２０】
まず、受信側縮小機能について説明する。
【００２１】
例えば、Ａ４やＢ５といった設定記録紙にぴったりのサイズでの受信はそのまま、各々のサイズの記録紙に出力が可能である。しかし、設定サイズにＢ５がある為、受信時の自機能力はＢ幅受信可能として送信側に伝えられるため、例えば、Ｂ４を受信する場合がある。
【００２２】
このまま幅を優先して記録した場合はＢ５に２枚に分割出力され見難くなったりする。そこでこのような時にＢ４を受信した場合は、Ｂ５に分割せず、自機でＢ４→Ａ４縮小して、Ａ４の記録紙の１枚に出力する。
【００２３】
このような機能を受信側縮小と呼ぶ。
【００２４】
そして、上述したような状況の際に、Ａ４記録紙が切れている場合、画像を記録出力できないので、受信画情報を画像蓄積装置９に蓄積する。このような動作を代行受信という。
【００２５】
また、この場合、図２に示したような代行受信ファイルテーブルを作成し、受信終了後、ユーザに対して代行受信された画情報がある旨を通知するとともに、ユーザが代行受信した画情報を引き出せるような操作ガイダンスを表示し、ユーザが適切に受信原稿を取得できるようにしている。
【００２６】
また、この場合、受信側縮小機能にかかる画情報であるので、操作ガイダンスは、例えば、「Ｂ４原稿です。受信側縮小にてＡ４出力します。Ａ４記録紙を補充してください。」というように、必要な記録紙をセットできるようにする内容となる。
【００２７】
このようにすることで、ユーザに対して、代行受信ファイルが記録出力されない原因や、代行受信ファイルの記録出力方法を明確に指示することができるので、ユーザの使い勝手が大幅に向上する。
【００２８】
図３は、受信画情報の記録時の処理の一例を示している。
【００２９】
まず、記録対象となっている受信画情報がＢ幅であるかどうかを調べ（判断１０１）、判断１０１の結果がＹＥＳになるときには、受信画情報の長さが、所定のＢ５長スレッシュ以下であるかどうかを調べる（判断１０２）。ここで、Ｂ５長スレッシュとは、Ｂ５判の記録紙に分割しないで出力できる長さを規定するライン数である。
【００３０】
判断１０２の結果がＮＯになるときには、受信側縮小機能がオンにされているかどうかを調べ（判断１０３）、判断１０３の結果がＹＥＳになるときには、Ａ４判記録紙がセットされているかどうかを調べる（判断１０４）。判断１０４の結果がＹＥＳになるときには、上述したような受信側縮小機能を適用し、受信画情報の画像を縮小してＡ４判記録紙に記録出力する（処理１０５）。
【００３１】
このようにして、１ページ分の画像記録を終了すると、受信画情報に次のページがあるかどうかを調べ（判断１０６）、判断１０６の結果がＹＥＳになるときには判断１０１へ戻り、次のページについて記録動作を行う。また、判断１０６の結果がＮＯになるときには、この動作を終了する。
【００３２】
また、判断１０４の結果がＮＯになるときには、代行受信ファイルに理由を記録し（処理１０７）、そのページ以下の全てのページを、代行受信ファイルとして保存し（処理１０８）、この動作を終了する。
【００３３】
また、判断１０２の結果がＹＥＳになるとき、または、判断１０３の結果がＮＯになるときには、Ｂ５判記録紙があるかどうかを調べ（判断１０９）、判断１０９の結果がＹＥＳになるときには、そのページの受信画像をＢ５判記録紙に記録する（処理１１０）。なお、処理１１０では、分割記録する場合もある。そして、判断１０６へ移行する。
【００３４】
また、判断１０９の結果がＮＯになるときには、処理１０７へ進み、当該ページを含むそれ以降のページの画情報を代行受信ファイルとして保存する。
【００３５】
また、判断１０１の結果がＮＯになるときには、Ａ４判記録紙があるかどうかを調べ（判断１１１）、判断１１１の結果がＹＥＳになるときには、そのページの受信画像をＡ４判記録紙に記録し（処理１１２）、判断１０６へ移行する。
【００３６】
また、判断１１１の結果がＮＯになるときには、処理１０７へ移行し、代行受信ファイルに理由を記録し、そのページ以下の全てのページを、代行受信ファイルとして保存し、この動作を終了する。
【００３７】
図４は、代行受信ファイルを蓄積している場合の処理の一例を示す。
【００３８】
まず、ユーザに代行受信ファイルを蓄積している旨を表示しているので、ユーザが代行受信ファイルキー（図示略）を押下するまで待つ（判断２０１）。判断２０１の結果がＹＥＳになるときには、代行受信ファイルが１つ以上蓄積されているかどうかを調べ（判断２０２）、判断２０２の結果がＮＯになるときには、この動作を終了する。
【００３９】
また、判断２０２の結果がＹＥＳになるときには、代行受信ファイルテーブルを検索して１つ代行受信ファイルを選択し（処理２０３）、当該代行受信ファイルの代行受信理由に基づいて、適切な操作ガイダンスを表示する（処理２０４）。
【００４０】
次いで、次の検索が指示されたかどうかを調べ（判断２０５）、判断２０５の結果がＹＥＳになるときには、処理２０３へ戻り、別の代行受信ファイルを検索する。
【００４１】
図５は、受信画情報の記録時の処理の他の例を示している。
【００４２】
まず、記録対象となっている受信画情報がＢ幅であるかどうかを調べ（判断３０１）、判断３０１の結果がＹＥＳになるときには、受信画情報の長さが、所定のＢ５長スレッシュ以下であるかどうかを調べる（判断３０２）。ここで、Ｂ５長スレッシュとは、Ｂ５判の記録紙に分割しないで出力できる長さを規定するライン数である。
【００４３】
判断３０２の結果がＮＯになるときには、受信側縮小機能がオンにされているかどうかを調べ（判断３０３）、判断３０３の結果がＹＥＳになるときには、Ａ４判記録紙がセットされているかどうかを調べる（判断３０４）。判断３０４の結果がＹＥＳになるときには、上述したような受信側縮小機能を適用し、受信画情報の画像を縮小してＡ４判記録紙に記録出力する（処理３０５）。
【００４４】
このようにして、１ページ分の画像記録を終了すると、受信画情報に次のページがあるかどうかを調べ（判断３０６）、判断３０６の結果がＹＥＳになるときには判断３０１へ戻り、次のページについて記録動作を行う。また、判断３０６の結果がＮＯになるときには、この動作を終了する。
【００４５】
また、判断３０４の結果がＮＯになるときには、受信画情報の出力を優先するように設定されているかどうかを調べる（判断３０７）。判断３０７の結果がＮＯになるときには、代行受信ファイルに理由を記録し（処理３０８）、そのページ以下の全てのページを、代行受信ファイルとして保存し（処理３０９）、この動作を終了する。
【００４６】
また、判断３０２の結果がＹＥＳになるとき、または、判断３０３の結果がＮＯになるとき、または、判断３０７の結果がＹＥＳになるときには、Ｂ５判記録紙があるかどうかを調べ（判断３１０）、判断３１０の結果がＹＥＳになるときには、そのページの受信画像をＢ５判記録紙に記録する（処理３１１）。なお、処理３１１では、分割記録する場合もある。そして、判断３０６へ移行する。
【００４７】
また、判断３１０の結果がＮＯになるときには、処理３０８へ進み、当該ページを含むそれ以降のページの画情報を代行受信ファイルとして保存する。
【００４８】
また、判断３０１の結果がＮＯになるときには、Ａ４判記録紙があるかどうかを調べ（判断３１２）、判断３１２の結果がＹＥＳになるときには、そのページの受信画像をＡ４判記録紙に記録し（処理３１３）、判断３０６へ移行する。
【００４９】
また、判断３１２の結果がＮＯになるときには、判断３０７へ移行し、それ以降の処理を行う。
【００５０】
このようにして、この場合には、出力優先が設定されていれば、等倍出力可能な記録紙に分割記録するようにできるので、代行受信ファイルが不要に増えるような事態を回避することができる。
【００５１】
なお、上述した実施例では、本発明をグループ３ファクシミリ装置に適用した場合について説明したが、本発明は、それ以外の種々の装置についても、同様にして適用することができる。
【００５２】
【発明の効果】
以上説明したように、本発明によれば、受信した画像を蓄積すると共に、出力優先設定が成されている場合は出力されるので、例えば、等倍出力可能な記録紙に分割記録するようにできるので、代行受信ファイルが不要に増えるような事態を回避することができるといった、装置内のメモリを効率的に使用できるという効果を得る。
【図面の簡単な説明】
【図１】本発明の一実施例にかかるグループ３ファクシミリ装置の構成例を示したブロック図。
【図２】代行受信ファイルテーブルの一例を示した概略図。
【図３】受信画情報の記録時の処理の一例を示したフローチャート。
【図４】代行受信ファイルを蓄積している場合の処理例を示したフローチャート。
【図５】受信画情報の記録時の処理の他の例を示したフローチャート。
【符号の説明】
１  システム制御部
２  システムメモリ
【図１】
0004197097.tif 000002
【図２】
0004197097.tif 000003
【図３】
0004197097.tif 000004
【図４】
0004197097.tif 000005
【図５】
0004197097.tif 000006